(57)【要約】      （修正有）【課題】マグネシウムと水を反応させて水素を発生し、使用後の酸化マグネシウムを還元して容易に再使用できる水素発生方法及びその装置を提供する。【解決手段】水素発生容器内にマグネシウム薄膜を生成した基板の複数枚を組込み配置する。この容器内に、水を封入して基板のマグネシウム薄膜と水とを反応させて水素を発生させる。基板のマグネシウム薄膜は、パルスプラズマ溶射装置を用いて生成し、また水と反応後の基板の酸化マグネシウム薄膜は、パルスプラズマ溶射装置のパルスアークにより還元して繰り返し使用する。【選択図】図１
2010163332.tif 000002
【特許請求の範囲】
【請求項１】
容器内に、マグネシウム薄膜を生成した基板の複数枚を配置し、前記容器内に水を封入して前記基板のマグネシウム薄膜と水とを反応させて水素を発生し、水と反応後の前記基板の酸化マグネシウム薄膜は、パルスプラズマ溶射装置のパルスアークにより還元して繰り返し使用することを特徴とするマグネシウム薄膜を用いた水素発生方法。
【請求項２】
請求項１において、前記基板のマグネシウム薄膜は、酸化マグネシウム粉末及び作動ガスをパルスプラズマ溶射装置に供給し、前記パルスプラズマ溶射装置のパルスアークにより溶解したマグネシウムを基板に溶射して生成したことを特徴とするマグネシウム薄膜を用いた水素発生方法
【請求項３】
請求項２において、前記基板のマグネシウム薄膜は、前記基板を配置するチャンバ内を酸化防止環境にして生成することを特徴とする酸化マグネシウム還元形水素発生方法。
【請求項４】
酸化マグネシウム粉末及び作動ガスを供給して、パルスアークにより溶解したマグネシウムを溶射して基板にマグネシウム薄膜を生成するパルスプラズマ溶射装置と、マグネシウム薄膜を生成した複数枚の基板と水を封入する水素発生容器とを備えたことを特徴とするマグネシウム薄膜を用いた水素発生装置。
【発明の詳細な説明】
【技術分野】
【０００１】
本発明はマグネシウムを用いた水素発生方法及びその装置に係り、特に基板に生成したマグネシウム薄膜を繰り返して使用できるマグネシウムを用いた水素発生方法及びその装置に関する。
【背景技術】
【０００２】
最近、二酸化炭素を発生しない再生可能エネルギーサイクルを構築するため、無尽蔵ではあるが定常的でない太陽光エネルギを有効に活用し、マグネシウム（Ｍｇ）をエネルギ貯蔵媒体とする大規模エネルギ貯蔵技術が提案されている（非特許文献１参照）。マグネシウムは、加水分解反応（Ｍｇ＋Ｈ２Ｏ→ＭｇＯ＋８６ｋｃａｌ）によって水素を発生し、しかも重量当りで発生する水素の重量比が他のものより大きいため注目されている。マグネシウムを使用して発生した水素は、燃料電池や自動車の燃料として使用する。
【０００３】
そして、上記の非特許文献１では、水との反応時の反応性生物である酸化マグネシウム（ＭｇＯ）を、触媒を用いずにマグネシウムに還元して再利用可能にするため、特に太陽光等の自然エネルギを利用するための検討を行っている。この場合、酸化マグネシウムは、太陽光励起レーザーの出力でマグネシウムに還元しており、定常的でない太陽光を利用し、再生可能エネルギーサイクルとする。
【０００４】
一方、セラミック等の基板の表面に薄膜を形成するため、プラズマ溶射装置が使用されている。この種のプラズマ溶射装置は、プラズマを発生させるため電源と接続する電極対を備えており、外側電極部分に作動ガスを吹き付けるガス吹付け部と粉末状の金属等を供給する供給口、更に射出ノズルを設けている。
【０００５】
上記した構造のプラズマ溶射装置では、外側及び内側電極間に発生したプラズマの熱で、供給口から供給した粉末状の金属等を加熱溶融し、射出ノズルからプラズマジェットと共に液状微粒子を基板に向けて溶射し、基板面に皮膜を形成させている（例えば特許文献１、２参照）。
【先行技術文献】
【特許文献】
【０００６】
【特許文献１】特許第３０７４９５７号公報
【特許文献２】特許第３３３１３７５号公報
【非特許文献】
【０００７】
【非特許文献１】Ｊｏｕｎａｌ  ｏｆ  Ｐｌａｓｍａ  ａｎｄ  Ｆｕｓｉｏｎ  Ｒｅｓｅａｒｃｈ  Ｖｏｌ.８３  Ｎｏ.６  Ｊｕｎｅ２００７  ｐ５７８−ｐ５８２
【発明の概要】
【発明が解決しようとする課題】
【０００８】
しかしながら、上記非特許文献１に記載のように、マグネシウムは一度水と反応させて水素を発生させると酸化マグネシウムとなるから、これを太陽光励起レーザーの出力で、マグネシウムに還元して利用可能にする場合、集光装置を含めたレーザーの全体構成が大規模なものとなる。しかも、現在の太陽光励起レーザーでは、酸化マグネシウムからマグネシウムへの還元を、簡単かつ容易に行えないという欠点があった。
【０００９】
本発明の目的は、マグネシウムを水と反応させて水素を発生し、使用後の酸化マグネシウムを還元して容易に再使用でき、経済的にできるマグネシウムを用いた水素発生方法及びその装置を提供することにある。
【課題を解決するための手段】
【００１０】
本発明のマグネシウム薄膜を用いた水素発生方法は、容器内にマグネシウム薄膜を生成した基板の複数枚を配置し、前記容器内に水を封入して前記マグネシウム薄膜と水とを反応させて水素を発生し、水と反応後の前記基板の酸化マグネシウム薄膜は、パルスプラズマ溶射装置のパルスアークにより還元して繰り返し使用することを特徴としている。
【００１１】
好ましくは、前記基板のマグネシウム薄膜は、酸化マグネシウム粉末及び作動ガスをパルスプラズマ溶射装置に供給し、前記パルスプラズマ溶射装置のパルスアークにより溶解したマグネシウムを基板に溶射して生成したことを特徴としている。
【００１２】
更に好ましくは、前記基板のマグネシウム薄膜は、前記基板を配置するチャンバ内を酸化防止環境にして生成することを特徴としている。
【００１３】
また、本発明のマグネシウム薄膜を用いた水素発生装置は、酸化マグネシウム粉末及び作動ガスを供給して、パルスアークにより溶解したマグネシウムを溶射して基板にマグネシウム薄膜を生成するパルスプラズマ溶射装置と、マグネシウム薄膜を生成した複数枚の基板と水を封入する水素発生容器とを備えたことを特徴としている。
【発明の効果】
【００１４】
本発明のマグネシウム薄膜を用いた水素発生方法によれば、マグネシウムを用いて容易に水素を発生させることができるし、使用後の酸化マグネシウムはパルスプラズマ溶射装置のパルスアークにより還元して繰り返し使用できるため、簡単で安全な水素発生が効率良く行える利点がある。
【００１５】
また、本発明の如くマグネシウム薄膜を用いた水素発生装置よれば、基板にマグネシウム薄膜を生成するパルスプラズマ溶射装置と、マグネシウム薄膜を生成した複数枚の基板と水を封入する水素発生容器とで簡単に構成できるため、装置全体を経済的に製作することができる。
【図面の簡単な説明】
【００１６】
【図１】本発明の一実施例であるマグネシウム薄膜を用いた水素発生方法の工程を示すブロック図である。
【図２】本発明の一実施例であるマグネシウム薄膜を用いた水素発生装置を示す概略縦断面図である。
【図３】本発明の水素発生方法に使用するマグネシウム薄膜を生成するパルスプラズマ装置の例を示す概略縦断面図である。
【図４】本発明の水素発生方法に使用するマグネシウム薄膜を生成するパルスプラズマ装置の他の例を示す概略縦断面図である。
【図５】本発明の水素発生方法で水素を発生させた酸化マグネシウム薄膜の還元に用いるパルスプラズマ装置の例を示す概略縦断面図である。
【発明を実施するための形態】
【００１７】
本発明のマグネシウム薄膜を用いた水素発生方法は、容器内にマグネシウム薄膜を生成した基板の複数枚を配置し、しかも容器内に水を封入し、マグネシウム薄膜と水とを反応させて水素を発生させる。基板に生成するマグネシウム薄膜は、パルスプラズマ溶射装置を用いて生成し、また水と反応後の各基板の酸化マグネシウムは、パルスプラズマ溶射装置のパルスアークにより還元して繰り返し使用している。
【実施例１】
【００１８】
以下、本発明のマグネシウム薄膜を用いた水素発生方法及びその装置について、図１〜図５を用いて説明する。本発明の水素発生方法は、図１に示すような工程Ｓ０からＳ３によって効果的に水素を発生する。
【００１９】
先ず、水素発生材料を作成の工程Ｓ０では、予めパルスプラズマ溶射装置により水素発生に用いるマグネシウム薄膜を、セラミック板等の耐熱性のある基板に生成し、このマグネシウム薄膜付の複数枚の基板を水素発生材料として準備をしておいて使用する。
【００２０】
水素発生材料を作成工程Ｓ０でのマグネシウム薄膜は、パルスプラズマ溶射装置を使用し、予め基板に生成しておいて使用する。パルスプラズマ溶射装置は、図３及び図４に示すように外側電極２の中心位置に絶縁物４を介して内側電極３を配置してプラズマ吹付けノズル１を構成し、両電極２、３間にパルス電源５を接続するものを使用する。
【００２１】
そして、外側電極２に設けた開閉弁７を備える原料注入口６から、酸化マグネシウム粉末を供給してパルスプラズマで溶融し、同時にガス注入口８からアルゴンガスやヘリウムガス等の作動ガスを供給して、プラズマ吹付けノズル１の先端部からセラミック板等の基板１０に向けて放出させ、マグネシウム薄膜１１を生成する。
【００２２】
図３のパルスプラズマ溶射装置は、大気中で基板１０にマグネシウム薄膜１１を生成するものであり、また図４のパルスプラズマ溶射装置は、プラズマ吹付けノズル１の先端部及び基板１０をチャンバ９により密閉し、このチャンバ９内部を真空や不活性ガスの雰囲気中の如き酸化防止環境９Ａに維持し、基板１０にマグネシウム薄膜１１を生成するときに、マグネシウムが酸化するのを防止している。
【００２３】
水素を発生させるための第１の工程Ｓ１では、上記の如く予め作成した水素発生材料となるマグネシウム薄膜１１付の基板１０を、図２に示すように水注入口２１を設けた水素発生容器２０内に枠体（図示せず）等を使用し、基板１０の複数枚を組込んで準備する。なお、マグネシウム薄膜１１付の基板１０は、基板一枚当りの水素発生量を考慮して組込み枚数を設定する。
【００２４】
続く第２の工程Ｓ２では、基板１０を配置した水素発生容器２０内に、水注入口２１から水２２を注入して封入する。そして、基板１０のマグネシウム薄膜１１を水と反応させて水素を発生させ、水素発生容器２０の上部に設けた水素抽出口２３から水素を取り出し、所定の水素貯蔵場所で保管する。
【００２５】
水と反応した後の基板１０の酸化マグネシウム薄膜は、図１に示す水素発生材料の還元を行う第３の工程Ｓ３で、マグネシウム薄膜１１に還元する。具体的には、パルスプラズマ溶射装置のパルスアークにより、酸化マグネシウム薄膜をマグネシウム薄膜１１に還元し、水素発生材料として工程Ｓ１から繰り返し使用して水素を発生させる。
【００２６】
酸化マグネシウム薄膜の還元に使用するパルスプラズマ溶射装置を図５に示しており、この装置は上記した図３や図４に示したものと同様な構造のものである。このパルスプラズマ溶射装置で酸化マグネシウム薄膜の還元する際には、図５に示す原料注入口６の開閉弁７を閉じて酸化マグネシウム粉末の供給を止めた状態にする。
【００２７】
そして、パルスプラズマ溶射装置の外側電極２と内側電極３間にパルスアークを発生させると共に、ガス注入口８から作動ガスを供給する。これにより、パルスアークをプラズマ吹付けノズル１の先端部から、基板１０の酸化マグネシウム薄膜に向けて吹き付けて処理を行い、マグネシウム薄膜１１に還元する。
【００２８】
なお、パルスプラズマ溶射装置のパルスアークによる還元処理時の電力としては、エネルギの有効活用面から、望ましくは余剰の夜間電力、また風力発電や太陽光発電等の出力変動のある不安定電源、更には離島や山奥の小水力発電等の電力を使用すると、より効果的である。
【００２９】
本発明の水素発生方法では、パルスプラズマ溶射装置を使用して基板に生成したマグネシウム薄膜を水素発生材料に用い、水と反応させて水素を発生させた後の酸化マグネシウム薄膜もパルスプラズマ溶射装置を使用して容易に還元できるし、水素発生容器に組込んで再使用できるから、簡単でかつ安全に水素発生に活用することができる。
【符号の説明】
【００３０】
１０…基板、１１…マグネシウム薄膜、２０…水素発生容器、２１…水注入口、２２…注入水。
【図１】
2010163332.tif 000003
【図２】
2010163332.tif 000004
【図３】
2010163332.tif 000005
【図４】
2010163332.tif 000006
【図５】
2010163332.tif 000007